(57)【特許請求の範囲】
【請求項１】
本体に着脱可能に装着する電池パックを備える携帯電話機において、
前記電池パックは、メモリカード本体を着脱可能に装着する装着部を有し、
前記携帯電話機本体は、前記電池パックを前記携帯電話機本体に装着した時に前記電池パックに装着された前記メモリカードの端子と前記携帯電話機本体に実装された電子回路とを電気的に接続させる接続部を有し、
前記電池パックは、前記メモリカード本体を外部から前記装着部に挿入するための挿入口を有し、
前記挿入口は、前記電池パックが前記携帯電話機本体に装着した時に外部に露出することを特徴とする携帯電話機。
【請求項２】
前記電池パックの装着部は、前記携帯電話機本体側にメモリカードの端子を露出させて前記メモリカードを収納し、
前記携帯電話機本体の接続部は、前記メモリカードを収納した前記電池パックから露出した前記メモリカードの端子と圧接するバネ端子であることを特徴とする請求項１記載の携帯電話機。
【請求項３】
前記電池パックは、
前記挿入口から前記装着部へ前記メモリカードをガイドするガイド部と、
前記メモリカードが収納された時に前記メモリカード本体を着脱可能に固定する固定部と、
を備えることを特徴とする請求項１又は２記載の携帯電話機。
【請求項４】
前記電池パックは、前記挿入口側から見て前記装着部の奥側端面に前記メモリカードを前記挿入口側へ押し出すバネを備えることを特徴とする請求項１乃至３のいずれか一に記載の携帯電話機。
【請求項５】
前記電池パックの装着部は、前記メモリカードが前記挿入口から正しく挿入されていない時に前記メモリカードが奥まで入らないようにするストッパを有し、
前記メモリカードは、前記挿入口から正しく挿入されている時に前記ストッパと抵触しないようにするための切欠部を有することを特徴とする請求項１乃至４のいずれか一に記載の携帯電話機。
【発明の詳細な説明】
【０００１】
【発明の属する技術分野】
本発明は、メモリカード付き携帯電話機に関し、特に、電池パックにメモリカードを装着する携帯電話機に関する。
【０００２】
【従来の技術】
従来の携帯電話機において、電話機本体に着脱可能なメモリカードを備え、会話等をそのメモリカードに記録しこれを再生する機能を有するものがあり、メモ書き、キー入力などの煩わしさがなく使い勝手がよいものがある（例えば、特開２０００−３２１６９号公報参照）。
【０００３】
【発明が解決しようとする課題】
しかし、メモリカードを使用するために携帯電話機本体に実装されたプリント基板上にメモリカードを装着するためのガイドを設けたコネクタを搭載することから基板面積を専有する問題（デッドスペースなど）があった。
【０００４】
また、コネクタにはメモリカードの端子を上から押さえるためのハウジングが必要であり、携帯電話機本体の薄型化が困難であった。
【０００５】
本発明の第１の目的は、基板を有効利用することができるメモリカード付き携帯電話機を提供することである。
【０００６】
本発明の第２の目的は、本体を薄型化できるメモリカード付き携帯電話機を提供することである。
【０００７】
【課題を解決するための手段】
本発明の第１の視点においては、本体に着脱可能に装着する電池パックを備える携帯電話機において、前記電池パックは、メモリカード本体を着脱可能に装着する装着部を有し、前記携帯電話機本体は、前記電池パックを前記携帯電話機本体に装着した時に前記電池パックに装着された前記メモリカードの端子と前記携帯電話機本体に実装された電子回路とを電気的に接続させる接続部を有し、前記電池パックは、前記メモリカード本体を外部から前記装着部に挿入するための挿入口を有し、前記挿入口は、前記電池パックが前記携帯電話機本体に装着した時に外部に露出することを特徴とする。
【０００８】
また、前記携帯電話機において、前記電池パックの装着部は、前記携帯電話機本体側にメモリカードの端子を露出させて前記メモリカードを収納し、前記携帯電話機本体の接続部は、前記メモリカードを収納した前記電池パックから露出した前記メモリカードの端子と圧接するバネ端子であることが好ましい。
【０００９】
また、前記携帯電話機において、前記電池パックは、前記挿入口から前記装着部へ前記メモリカードをガイドするガイド部と、前記メモリカードが収納された時に前記メモリカード本体を着脱可能に固定する固定部と、を備えることが好ましい。
【００１１】
また、前記携帯電話機において、前記電池パックは、前記挿入口側から見て前記装着部の奥側端面に前記メモリカードを前記挿入口側へ押し出すバネを備えることが好ましい。
【００１２】
また、前記携帯電話機において、前記電池パックの装着部は、前記メモリカードが前記挿入口から正しく挿入されていない時に前記メモリカードが奥まで入らないようにするストッパを有し、前記メモリカードは、前記挿入口から正しく挿入されている時に前記ストッパと抵触しないようにするための切欠部を有することが好ましい。
【００１３】
【発明の実施の形態】
本体に着脱可能に装着する電池パック（図１の２０）を備える携帯電話機（図１の１０）において、前記電池パックは、メモリカード本体を着脱可能に装着する装着部（図３の２２〜２４）を有し、前記携帯電話機本体は、前記電池パックを前記携帯電話機本体に装着した時に前記電池パックに装着された前記メモリカードの端子と前記携帯電話機本体に実装された電子回路とを電気的に接続させる接続部（図２の１５）を有し、前記電池パックは、前記メモリカード本体を外部から前記装着部に挿入するための挿入口（図１の２３）を有し、前記挿入口は、前記電池パックが前記携帯電話機本体に装着した時に外部に露出することにより、メモリカード用コネクタのハウジングを不用とし、携帯電話機本体の薄型化、基板の有効活用が可能となる。
【００１４】
【実施例】
本発明の実施例を図面を用いて説明する。図１は、本発明の一実施例に係る携帯電話機において電池パックを装着した状態を模式的に示した外観斜視図である。図２は、本発明の一実施例に係る携帯電話機において電池パックを取り外した状態を模式的に示した外観斜視図である。図３は、本発明の一実施例に係る携帯電話機における電池パックを模式的に示した外観斜視図である。図４は、本発明の一実施例に係る携帯電話機に装着されるメモリカードを模式的に示した外観斜視図である。
【００１５】
図１及び図２を参照すると、この携帯電話機１０は、折り畳み型携帯電話機であり、会合面側に操作面を有する操作側の筐体１１と、会合面側に表示画面を有する表示側の筐体１２と、がヒンジ部１３を介して回転可能に連結している。操作側の筐体１１の背面側には、ヒンジ部１３側の側端面をあけるようにして電池パック２０を着脱可能に収納するため電池パック収納部１４を有する。電池パック収納部１４における筐体１１の背面側の板面には、メモリカードの端子に圧接して筐体内部の電気回路と電気的に接続するためのメモリカード用バネ端子１５と、電池パック２０からの電源を筐体内部の電気回路に供給するための電池用端子１６を有する。なお、携帯電話機１０は、折り畳み型携帯電話機に限るものではなく、ヒンジ部を有さない携帯電話機にも適用されるものである。
【００１６】
図１及び図３を参照すると、電池パック２０は、筐体内に２次電池が実装されており、筐体における装着面側には、装着時に操作側の筐体１１の電池用端子１６と対応して接触する端子２１を有するとともに、装着時に操作側の筐体１１におけるヒンジ部１３側の側端面からメモリカード３０をスライド可能に挿入でき収納できるメモリカード収納部２２を有し、メモリカード収納部２２の挿入口２３付近にメモリカード３０を着脱可能に固定できるメモリカード固定用スライドレバー２４を有し、挿入口側から見てメモリカード収納部２２の最奥部の端面にはメモリカード３０を取り出す際にメモリカードを挿入口２３側に押し出すためのバネ２５を有し、メモリカード収納部２２の左右両側端面にメモリカード３０をスライドさせるためのスライド用溝２６を有し、メモリカード収納部２２の奥部における端面の角にメモリカード３０が正しく装着されない場合にさらに奥までスライドさせないストッパ２７を有する。メモリカード固定用スライドレバー２４は、メモリカード３０がメモリカード収納部２２に十分挿入されたときに自動的にスライドするようバネなどの作用を利用してもよい。
【００１７】
図３及び図４を参照すると、メモリカード３０は、マルチメディアカード、ＳＤカード、メモリスティック等の電池パック２０に着脱可能な外部メモリであり、装着時に操作側の筐体１１のメモリカード用バネ端子１５と電気的に接続するための端子３１を有し、挿入時に正しい向きで挿入された場合に電池パックのストッパ２７との抵触を回避するための切欠部３２を有する。
【００１８】
次に、本実施例におけるメモリカードの着脱について説明する。
【００１９】
メモリカードを装着する場合、電池パック２０のメモリカード挿入口２３から端子３１面を外側にしてメモリカード３０を挿入し、メモリカード３０をスライドさせて、メモリカード３０がメモリカード収納部２２に入り切ったときにメモリカード固定用スライドレバー２４がスライドし、メモリカード固定用スライドレバー２４がメモリカード３０を係止することにより、電池パック２０にメモリカード３０が固定される。
【００２０】
次に、メモリカード３０が固定された電池パック２０を携帯電話機の電池パック収納部１４に嵌め込むことにより、メモリカードの端子３１と携帯電話機のメモリカード接続用バネ端子１５とが電気的に接続されメモリカード３０が使用可能な状態になる。
【００２１】
なお、メモリカード３０は、電池パック２０が携帯電話機１０に装着された状態からでも出し入れしてもよい。
【００２２】
一方、メモリカードを取り外す場合、固定用スライドレバー２４をスライドさせてメモリカード３０を開放することで、バネ２５の作用によってメモリカード３０は挿入口２３側に押し出され排出することができる。
【００２３】
【発明の効果】
本発明によれば、メモリカードは電池パックに固定されるので、携帯電話機に実装されていた基板上に搭載されるコネクタがバネ端子で済むことから、携帯電話機本体の小型化が可能である。これによって、基板の有効活用や、基板の小型化に伴う携帯電話機の小型化が図れる。
【００２４】
また、電池パックにメモリカードを装着することで、従来のように端子の長いコネクタによる押さえが必要なくなり携帯電話機本体の薄型化が可能となる。
【図面の簡単な説明】
【図１】本発明の一実施例に係る携帯電話機において電池パックを装着した状態を模式的に示した外観斜視図である。
【図２】本発明の一実施例に係る携帯電話機において電池パックを取り外した状態を模式的に示した外観斜視図である。
【図３】本発明の一実施例に係る携帯電話機における電池パックを模式的に示した外観斜視図である。
【図４】本発明の一実施例に係る携帯電話機に装着されるメモリカードを模式的に示した外観斜視図である。
【符号の説明】
１０  携帯電話機
１１  操作側の筐体
１２  表示側の筐体
１３  ヒンジ部
１４  電池パック収納部
１５  メモリカード用バネ端子
１６  電池用端子
２０  電池パック
２１  端子
２２  メモリカード収納部
２３  挿入口
２４  メモリカード固定用スライドレバー
２５  バネ
２６  スライド用溝
２７  ストッパ
３０  メモリカード
３１  端子
３２  切欠部
【図１】
0004306143.tif 000002
【図２】
0004306143.tif 000003
【図３】
0004306143.tif 000004
【図４】
0004306143.tif 000005